(57)【要約】      （修正有）【課題】スプレーガンによる塗布作業を中断する際、スプレーガンを安定した状態で身体近傍に保持し、両手が空いた状態で別作業を行った後、直ちに塗布作業を再開することができるスプレーガンを提供する。【解決手段】スプレーガン本体１のハンドル左側面６にフック７を設置する。ハンドル左側面６には前記フック７を固定するためのねじ穴９が設けられており、ねじ穴９はハンドル右側面へ貫通している。また、スプレーガン本体１のトリガー３を引いた際、前記フック７は指先に接触しないようハンドル４の下方に位置するジョイント１０側に向くように設置され、且つフック形状は板状でコの字状であることが望ましい。これによりフック７が邪魔にならない状態でスプレーガンが握れる。上記の例は、作業者が右利きの場合であるが、左利きの時は、フック７をハンドル右側面に取り付ければ良い。【選択図】図４
0003172107.tif 000002
【実用新案登録請求の範囲】
【請求項１】
フックとハンドルを有する手持ち式のスプレーガンであって、前記ハンドルの側面に前記フックが取り付け可能なスプレーガン。
【請求項２】
前記フックが前記ハンドルの下方に取り付けられ且つフック部が前記ハンドルの外側に位置する請求項１記載のスプレーガン。
【考案の詳細な説明】
【技術分野】
【０００１】
本考案は圧縮空気により薬剤や離型剤、塗料などを霧化し物品に塗布するスプレーガンに関する。
【背景技術】
【０００２】
手持ち式のスプレーガンにより塗布作業を行う際、一時的にスプレーガンを手元から離して別の作業を行う場合がある。例えば、塗布を行なう被塗物にホコリ等のゴミや虫などが付着した際、それらを取り除く必要がある。付着物を取り除く際、スプレーガンを手に持った状態で付着物を取り除くことは非常に困難なため、スプレーガンを一旦手元から離し、空いた手または両手を使って付着物を取り除く必要がある（例えば、ピンセット等で付着物を取り除く際、ピンセットを持つ手とは逆の手で体の体勢を安定させ作業を行う）。また、ひとつの被塗物の塗布終了後、次の被塗物への塗布作業に移行する際、塗布が完了した被塗物を別の場所に移す場合がある。その際、スプレーガンを手に持った状態では移動作業が困難なため、両手で被塗物を移動させることが望ましい。一般に塗布現場にはスプレーガンを吊り下げておくためのバー（ワイヤーや吊り下げ棒など）が置かれ、この場合、作業者はバーの設置場所まで移動する必要がある。
【０００３】
または作業者によってはバーまでの移動時間を惜しみ、バーまで移動せずスプレーガンを作業者のズボンのポケットやベルトに掛けたり、スプレーガンを床に置いたりして被塗物への付着物の除去や移動等の作業を行うことがある。
【先行技術文献】
【特許文献】
【０００４】
【特許文献１】特開平７―２７５７４９号公報
【考案の概要】
【考案が解決しようとする課題】
【０００５】
しかし、このような方法では、作業者はいちいちスプレーガンを置きにバーまで移動しなければならず移動時間が無駄になるので作業効率が悪い。また作業者がポケットにスプレーガンを入れたまま作業をするのは、スプレーガンの空気キャップなどに付着した液剤がポケット内部に付着したり、またはポケットの中にうまく納まらずに落下し、傷つけたり破損する危険性が有るという問題があった。更にスプレーガンをポケットなどに引っ掛けることは本来の使用からすればイレギュラーな作業になるので、誤ってスプレーガンのトリガーを引いてしまうこともあり危険である。
本発明の目的は、手持ち式のスプレーガンによる塗布作業において、塗布作業を中断し別な作業を行う際、両手を自由にすることで別の作業を安全で迅速に行うことができ、かつ薬剤や塗料が作業者に付着しない安全で安価なスプレーガンを提供することを目的とする。
【課題を解決するための手段】
【０００６】
かかる目的を達成するために、本考案は、従来はスプレーガン本体上部にのみ設置されていたフックを着脱可能にし、前記フックをスプレーガンのハンドル両側面に取り付けられることを特徴とする。
【０００７】
また、作業者の利き手に合わせて、スプレーガンのハンドル右側面又は左側面のどちらにでもフックを取り付けられることを特徴とする。
【考案の効果】
【０００８】
本考案に係るスプレーガンによれば塗布作業を中断する際、フックをスプレーガンのハンドル側面の一方に設置する。フックをスプレーガンのハンドル側面に設置することで、作業者のズボンのポケットなどに確実に引っ掛けることができ、両手を使って別の作業を安全で迅速に行うことができる。また、スプレーガンをズボンのポケットなどに入れる必要がないため、ポケット内がスプレーガン先端などに付着した液剤によって汚れることがない。またフックによってポケットの外に掛けるため、スプレーガンがポケットに入りきらずに落ちたり、または誤ってズボンの中でトリガーを引いてしまう心配が無い。
【０００９】
また、本考案に係わるスプレーガンは逆さまの状態でズボンのポケットの淵に吊り下げた格好で保持することが可能なため、作業者は手をだらりと下におろした状態でスプレーガンのハンドルを素早く握ることができるので疲労もなく迅速且つ容易に塗布作業を再開することができる。
【００１０】
また、本考案はスプレーガンのハンドル側面の左右どちらにもフックを取り付けることができるため、塗布作業者が右利きの場合フックをハンドル左側面に、左利きの場合ハンドル右側面にフックを設置することが可能であり、作業者にとってフックが邪魔になることが無い。
【図面の簡単な説明】
【００１１】
【図１】フックをスプレーガンの本体上部に設置した本考案の実施例に係る正面図
【図２】フックをスプレーガンの本体上部に設置した本考案の実施例に係る斜視図
【図３】フックをスプレーガンのハンドル右側面に設置した本考案の実施例に係る斜視図
【図４】フックをスプレーガンのハンドル左側面に設置した本考案の実施例に係る斜視図
【図５】フックをズボンのポケットに掛けた状態の本考案の実施例に係わる図
【図６】フックをスプレーガンの本体上部に設置し、バーに掛けた場合の斜視図
【考案を実施するための形態】
【００１２】
図１及び図２の実施例は、スプレーガン本体１の本体上部２にフック７が設置される本考案の例を示している。フック７は二つのねじ８によってスプレーガンの本体上部２に固定されている。本体上部２にはフック７を固定するためのねじ穴９が設けられている。
【００１３】
図３の実施例は、スプレーガン本体１のハンドル右側面５にフック７が設置される本考案の例を示している。本実施例は、塗布作業者が左利きであることを想定したものである。本考案は、ハンドル右側面５には前記フック７を固定するためのねじ穴９が設けられており、ねじ穴９はハンドル左側面６へ貫通している。また、スプレーガン本体１のトリガー３を引いた際、前記フック７は指先に接触しないようハンドル４の下方に位置するジョイント１０側に向くように設置され、且つフック形状は板状であることが望ましい。
【００１４】
図４の実施例は、スプレーガン本体１のハンドル左側面６にフック７が設置される本考案の例を示している。本実施例は、塗布作業者が右利きであることを想定したものである。本考案は、ハンドル左側面６には前記フック７を固定するためのねじ穴９が設けられており、ねじ穴９はハンドル右側面５へ貫通している。また、スプレーガン本体１のトリガー３を引いた際、前記フック７は指先に接触しないようハンドル４の下方に位置するジョイント１０側に向くように設置され、且つフック形状は板状でコの字状であることが望ましい。これによりフック７が邪魔にならない状態でスプレーガンが握れる。
【００１５】
図５の実施例は、スプレーガンのハンドル左側面６に設置したフック７を利用して、塗布作業者のズボン１１のポケット１２に前記スプレーガンを掛けた例を示している。塗布作業を中断する際、ズボン１１のポケット１２に前記スプレーガンを掛けておくことができるため、スプレーガンを掛けるバー１５まで移動する必要がない。また図ではスプレーガンが逆さまの状態でズボン１１のポケット１２の淵に掛けられており、作業者は手をだらりと下におろした状態でスプレーガンのハンドル４やトリガー３を素早く握ることができるので直ちに作業を再開または中断することが可能となる。
【００１６】
図６の実施例は、スプレーガンの本体上部２に設置したフック７を利用して、スプレーガンを塗布現場などに設置されるバー１５に掛けた例を示している。スプレーガンのハンドル側面に前記フック７を設置した場合、前記バー１５にスプレーガンを掛けられないという問題が生じる。その際は、
トリガー３とハンドル４の間に前記バー１５（図１４のＡ〜Ａ’）を掛けることで、スプレーガンを保持するができる。尚、フック７をオプション部品として準備しておき本体上部２とハンドル側面の両方に設置して使用してもよい。
【符号の説明】
【００１７】
１    スプレーガン本体
２    本体上部
３    トリガー
４    ハンドル
５    ハンドル右側面
６    ハンドル左側面
７    フック
８    ねじ
９    ねじ穴
１０  ジョイント
１１  ズボン
１２  ポケット
１３  エアホース
１４  液剤ホース
１５  バー
【図１】
0003172107.tif 000003
【図２】
0003172107.tif 000004
【図３】
0003172107.tif 000005
【図４】
0003172107.tif 000006
【図５】
0003172107.tif 000007
【図６】
0003172107.tif 000008